(57)【要約】  【課題】使用者の足が常に安全かつ清潔な状態を維持し得る靴を提供する。  【解決手段】本発明に係る靴１００は、図１乃至図４に示すように、使用者の足上面を覆うアッパー部１２と、当該アッパー部１２の下側に位置づけられた舌部１３とを有する靴本体１と、当該靴本体１に分離不能に設けられ靴本体に密着して締め上げ部を被覆する被覆姿勢及び締め上げ部を開放する開放姿勢を取り得るカバー２と、両側からアッパー部１２にカバー２を位置調整可能に止着するカバー止め部３とを具備することを特徴とする。  【選択図】図１
2010124834.tif 000002
【特許請求の範囲】
【請求項１】
使用者の足上面を覆うアッパー部と、当該アッパー部の下側に位置付けられた舌部とを有する靴本体と、
当該靴本体に分離不能に設けられ前記靴本体に密着して被覆する被覆姿勢及び前記締め上げ部を開放する開放姿勢を取り得るカバーと、
両側から前記アッパー部に前記カバーを位置調整可能に止着するカバー止め部とを具備することを特徴とする靴。
【請求項２】
前記カバー止め部を、当該カバー止め部と前記アッパー部との位置決めを行いうる面ファスナを有するものとしている請求項１記載の靴。
【請求項３】
前記カバー止め部を、前記カバーに設けた挿通孔に挿通し基端側をアッパーに固定した帯状のカバー止め本体を有するものとしている請求項１又は２記載の靴。
【請求項４】
前記カバー止め本体の基端側に面ファスナのループ面を設けるとともに、先端側にフック面を設けたものとしている請求項３記載の靴。
【請求項５】
前記カバーと前記舌部とを、厚み方向に重なる位置に設けている請求項１、２、３又は４記載の靴。
【請求項６】
前記アッパー部を締め上げるための紐を有する締め上げ部を、さらに有するものとしている請求項１、２、３、４又は５記載の靴。
【請求項７】
前記カバー止め部を、左右略対称に設けたものとしている請求項１、２、３、４、５又は６記載の靴。
【請求項８】
前記カバー止め部を、前後方向に複数設けたものとしている請求項１、２、３、４、５、６又は７記載の靴。
【請求項９】
前記カバーを、前記靴本体の先端側中央で前記アッパーに一体に形成したものとしている請求項１、２、３、４、５、６、７又は８記載の靴。
【発明の詳細な説明】
【技術分野】
【０００１】
本発明は、特に作業場などで安全に作業を行うための靴に関するものである。
【背景技術】
【０００２】
従来、紐を用いたいわゆる紐靴が広く用いられており、中でも作業用の靴や運動靴等では紐で使用者の足にずれることなく確実に装着し得るため特に好適に用いられている。他方、このような紐靴において、紐及び紐を通すための孔から雨や泥、ホコリなどが浸入することを防ぐことや、結んだ紐の末端を引っ掛けることを防ぐために靴に装着し得る別体のカバーなどが種々提案されている（特許文献１参照）。
【特許文献１】実開平７−１１９１０号公報
【発明の開示】
【発明が解決しようとする課題】
【０００３】
しかしながら、作業場で行われる作業によっては上述したような紐及び紐を通すための孔から雨や泥、ホコリなどが浸入することを防ぐことや、結んだ紐の末端を引っ掛けることに対して特に細心の注意を払わなければならない。そのような場合において、上記特許文献に示したようなものでは、使用者に別体のカバーの着脱操作を常に要求するものであるため煩雑であり、また、別体のカバーを紛失してしまった場合にはカバーのない状態で使用しなければならない、ということが起こり得る。また、カバーを正確な位置に装着するために、使用者は常に別体のカバーを位置決めしつつ装着しなければならない。
【０００４】
そこで本発明は上記のような課題に着目したものであり、使用者の足が常に安全かつ清潔な状態を維持し得る靴を提供する。
【課題を解決するための手段】
【０００５】
本発明は、このような目的を達成するために、次のような手段を講じたものである。すなわち、本発明に係る靴は、使用者の足上面を覆うアッパー部と、当該アッパー部の下側に位置付けられた舌部とを有する靴本体と、当該靴本体に分離不能に設けられ前記靴本体に密着して前記締め上げ部を被覆する被覆姿勢及び前記締め上げ部を開放する開放姿勢を取り得るカバーと、両側から前記アッパー部に前記カバーを位置調整可能に止着するカバー止め部とを具備することを特徴とする。
【０００６】
このようなものであれば、カバーを所望の位置に好適に位置付けることができるとともに、アッパー部とカバーとの位置決めを好適に行うことが可能となる。そしてアッパー部に適度な張力を掛けることも可能となり、その結果として靴本体の足へのフィット感・ホールド感がより有効に高まることとなり、種々の作業を行うための作業場においても使用者が快適に履くことができる。すなわち履き心地が有効に向上するとともに、安全性を有効に確保した靴を提供することができる。
【０００７】
より確実且つ正確にカバーの位置決めをおこなうためには、カバー止め部を、当該カバー止め部とアッパー部との位置決めを行いうる面ファスナを有するものとすることが望ましい。そして当該カバー止め部を利用してアッパー部１２の位置調整をも行い得るものとするためには、カバー止め部が、カバーに設けた挿通孔に挿通し基端側をアッパーに固定した帯状のカバー止め本体を有するものであることが好ましい。そして当該カバー止め本体の具体的な構成としては、カバー止め本体の基端側に面ファスナのループ面を設けるとともに、先端側にフック面を設けた構成を挙げることができる。
【０００８】
そして、カバーの位置決めを足に対する靴本体の装着とを好適に両立させるためには、カバーと舌部とを、厚み方向に重なる位置に設けておけば、カバー止め部の位置決めと靴本体の装着の動作とを兼ねさせることによって、靴本体の足へのフィット感をより向上させて好適に装着し得る、すなわち履き心地をより向上させた靴とすることができる。
【０００９】
また他方、アッパー部を締め上げるための紐を有する締め上げ部を、さらに有するものとすれば、カバーが締め上げ部を有効に被覆し得るものとすることができる。
【００１０】
そしてカバー止め部を使いやすいものとするためには、当該カバー止め部を、左右略対称に設けることが好ましい。また、より確実にカバーを靴本体に装着するためには、当該カバー止め部を、前後方向に複数設けることが好ましい。
【００１１】
そして、カバー止め部が好適に靴本体と足との位置決めをすることにより、靴本体の足へのフィット感をより向上させ得るものとして、カバーを靴本体の先端側中央でアッパーに一体に形成したものとすることが望ましい。
【発明の効果】
【００１２】
本発明によれば、カバーを所望の位置に好適に位置付けることができるとともに、アッパー部とカバーとの位置決めを好適に行うことが可能となる。また、カバー止め部によってアッパーに適度な張力を掛けることにより、使用者に快適な履き心地を提供し得るものとしている。その結果として靴本体の足へのフィット感・ホールド感がより有効に高まることとなり、種々の作業を行うための作業場においても使用者が快適に履くことができる。すなわち履き心地が有効に向上するとともに、安全性を有効に確保した靴を提供することができる。
【発明を実施するための最良の形態】
【００１３】
以下、本発明の一実施の形態について図面を参照して説明する。
【００１４】
本実施形態に係る靴１００は、例えば工場などの作業場において好適に用いられるものであり、図１乃至図３に示すように、靴本体１とカバー２とカバー止め部３とを有しているものである。
【００１５】
ここで、本実施形態に係る靴１００は、図１乃至図４に示すように、使用者の足上面を覆うアッパー部１２と、当該アッパー部１２の下側に位置付けられた舌部１３とを有する靴本体１と、当該靴本体１に分離不能に設けられ靴本体に密着して締め上げ部を被覆する被覆姿勢及び締め上げ部を開放する開放姿勢を取り得るカバー２と、両側からアッパー部１２にカバー２を位置調整可能に止着するカバー止め部３とを具備することを特徴とするものである。
【００１６】
以下、靴１００の各部の構成について説明する。
【００１７】
靴本体１は、図１乃至図４に示すように、靴底１１とアッパー部１２と舌部１３とを主に有するものである。アッパー部１２は、使用者の足の上面側を略覆うものであって、幅方向中央において上側を切り欠いた切欠部１２ａを設けている。なお、アッパー部１２を構成する素材並びにアッパー部１２の具体的な形状は、既存の種々の態様を採用することができる。舌部１３は、当該切欠部１２ａのよりもややつま先寄りの位置から切欠部１２ａの下側を覆うように延伸させて先端側をアッパー部１２からやや露出するように設けている。
【００１８】
ここで、本実施形態では図示しないが、アッパー部１２を使用者の足に密着させるための締め上げ部を有したものであってもよい。そして当該締め上げ部の態様は、例えば紐挿通孔やＤリング、或いはフックを採用したり、種々の素材の紐を採用したりする等、既存の種々の態様を採用することができる。またもちろん、靴底１１においても既存の種々の態様を採用することができる。また本実施形態では靴本体１の一例として丈が踝下までのローカットタイプの靴を開示したが、本発明では、図示のローカットタイプのみならず、足首を覆い得るハイカットタイプの靴や、膝下までの丈を有するブーツタイプのものとするなど、既存の種々の態様をなす紐靴を、靴本体１として適用することが可能である。
【００１９】
カバー２は、図１乃至図３に示すように、靴本体の先端側中央でアッパー部１２に一体に形成するとともに、舌部１２に略重なる位置に設けることにより、靴本体の内部に埃などの侵入を防ぐためのものである。カバー２は、具体的には、被覆姿勢において切欠部１２ａを略覆い得るカバー本体２１と、本実施形態では前後両側計４箇所においてカバー止め部３をアッパー部１２に固定させるべくカバー止め部３を挿通させる挿通孔２２とを有している。
【００２０】
カバー止め部３は、同図に示すように、カバー２に対して正面視左右対称且つ前後２箇所、すなわち計４箇所に設けたものであり、アッパー部１２に取り付けた帯状のカバー止め本体３３と、当該カバー止め本体３３の片面に、例えば縫い付けなどにより設けた面ファスナ３０とを主に有するものとなっている。カバー止め本体３３は、アッパー部１２に基端部を縫いつけなどにより固定されるとともに、カバー２を固定する際には挿通孔２２を挿通させた先端側を基端側に付着させることによって、後述するフック面３１及びループ面３２とを止着させるものである。面ファスナ３０は、アッパー部１２に止着された基端側に設けたループ面３１と、先端側に設けたフック面３２とを有するものである。ループ面３１は、本実施形態ではカバー止め本体３３の基端側から略中間位置に亘って設けられておりフック面３２は、当該中間位置近傍から先端にかけて設けられている。そして、これらループ面３１とフック面３２とはカバー２を被覆姿勢とした場合にそれぞれ重なり合うように設定しているが、例えば、ループ面３１をフック面３２に対して面積を広く設定したものとして、カバー２の多少の位置ずれを許容すべくフック面３２を止着させ得るものであってもよい。特に本実施形態のカバー止め部３は、挿通孔２２を挿通させた先端側を強く引っ張りながらフック面３１及びループ面３２とを止着することができるので、このときに使用者の足とアッパー１とが強く密着されることによって、程よいフィット感並びにホールド感を提供し得るものとなっている。
【００２１】
以上のような構成とすることにより、本実施形態に係る靴１００は、カバー２を所望の位置に好適に位置付けることができるとともに、アッパー部１２とカバー２との位置決めを好適に行うことが可能なものとなっている。その結果として、種々の作業を行うための作業場においても使用者が好適に適用し得る靴１００となっている。
【００２２】
そして、より確実且つ正確にカバー２の位置決めをおこなうために本実施形態では、カバー止め部３を、当該カバー止め部３とアッパー部１２との位置決めを面ファスナ３０によって行うものとしている。そして当該カバー止め部３を利用してアッパー部１２の位置調整をも行い得るものとするために本実施形態では、カバー止め部３を、カバー２に設けた挿通孔２２に挿通し基端側をアッパー１に固定した帯状のカバー止め本体３３を主体としている。
【００２３】
そして、カバーの位置決めを足に対する靴本体の装着とを好適に両立させるために本実施形態では、カバー２と舌部１３とを、厚み方向に重なる位置に設けて、カバー止め部３の位置決めと靴本体１の装着の動作とを兼ねさせて、好適に装着し得るものとしている。
【００２４】
そしてカバー止め部３を使いやすいものとするために本実施形態では、当該カバー止め部３を、左右略対称に設けるとともに、前後方向に２箇所に、すなわち計４箇所に設けたものとして、装着時にはカバー２が所要の位置に位置付けられるだけでなく、使用者の足の上面において、均一に張力を掛けることにより、好適な履き心地を提供し得るものとなっている。
【００２５】
以上、本発明の実施形態について説明したが、各部の具体的な構成は、上述した実施形態のみに限定されるものではなく、本発明の趣旨を逸脱しない範囲で種々変形が可能である。
【００２６】
例えば、上記実施形態及び変形例では、作業用の靴に本発明を適用した例を開示したが、本発明は作業用の靴に限らずスポーツ用の靴やその他の用途の靴に広く適用することも可能である。
【００２７】
また、上記実施形態及び変形例では、面ファスナを用いたカバーとしたが、例えばボタンやファスナ等の密着させ得る手段を用いることも可能である。
【００２８】
その他、各部の具体的構成についても上記実施形態に限られるものではなく、本発明の趣旨を逸脱しない範囲で種々変形が可能である。
【図面の簡単な説明】
【００２９】
【図１】本発明の一実施形態に係る靴を示す斜視図。
【図２】同側面図。
【図３】同平面図。
【図４】同実施形態に係る靴におけるカバーの開放状態を示す図。
【符号の説明】
【００３０】
１００…靴
１…靴本体
１２…アッパー部
１３…舌部
２…カバー
３…カバー止め部
３０…面ファスナ
３１…ループ面
３２…フック面
３３…カバー止め本体
【図１】
2010124834.tif 000003
【図２】
2010124834.tif 000004
【図３】
2010124834.tif 000005
【図４】
2010124834.tif 000006